(57)【要約】【課題】面状発熱体にあって、座席に組み込むシートヒータの吊り溝部分の段差をなくし、見栄えが良くすると共に、作業性の良いシートヒータを提供することを目的とする。【解決手段】面状発熱体２１は前記パッド２７の吊り溝部２７ａに対応する部分にその吊り溝部２７ａより長くかつ吊り溝部２７ａに沿うように配設した切り込みと、この切り込みの両端に直交するように配設した切り込みでできるＨ型の切り欠き２９を設け、Ｈ型の切り欠き２９でできる舌状部分２６ａが、パッド２７の吊り溝部２７ａに入り込む分、座席カバー２８の係止部が貫通する面状発熱体２１の開口２９ｃの端部が、表皮カバーの表面に浮き出にくくなり、浮き出ても、座席の吊り溝部２７ａ分であるため、目立たず見栄えを損なう心配もなく、製造工程において、位置ズレ等に注意もさほどする必要はなくなり、製造する上での作業性が向上するようになる。【選択図】図１
2007253845.tif 000002
【特許請求の範囲】
【請求項１】
座席のクッション性を保持させ吊り溝部を有する柔軟性のパッドと、前記パッドを包囲し前記パッドの吊り溝部にその一部を係止される座席カバーと、前記パッドと座席カバーの間に位置した面状発熱体とを備え、前記面状発熱体は前記パッドの吊り溝部に対応する部分にその吊り溝部より長くかつ吊り溝部に沿うように配設した切り込みと、この切り込みの両端に直交するように配設した切り込みでできるＨ型の切り欠きを設けてなる面状発熱体。
【請求項２】
前記面状発熱体に配設したＨ型の切り欠きに沿って所定の幅形状で開口を配設した請求項１記載のいずれか１項記載の面状発熱体。
【請求項３】
請求項１〜２のいずれか１項に記載の面状発熱体を設けた吊り溝部を有する座席。
【発明の詳細な説明】
【技術分野】
【０００１】
本発明は、自動車等の座席に装着し、採暖を行なうことの出来るシートヒータに関するものである。
【背景技術】
【０００２】
従来、中央部に表皮カバーを吊り込むための吊り布を有する座席に組み込むシートヒータとして、図４に示すように、吊り布が貫通する開口部１の端部２の狭い部分にヒータ線を配設する方法が開示されている（例えば、特許文献１参照）。
【０００３】
また、図５に示すように、シートヒータ１１は、支持体１２に固定されたヒータ線１３と、電源供給のためのハーネス１４及びコネクタ１５より構成され、開口部１６を有する。開口部１６の幅ａは装着される座席の吊り溝部の幅よりも大きくとっている。また、シートヒータ１１の採暖エリア１１ａと採暖エリア１１ｂは橋渡し部１１ｃで連結される方法が開示されている。（例えば、特許文献２参照）。
【特許文献１】実開昭５９−４９３８９号公報
【特許文献２】特開２００４−１７３８２１号公報
【発明の開示】
【発明が解決しようとする課題】
【０００４】
しかしながら、前記従来の構成では、座席のパッドの吊り溝部を避けるように、吊り布が貫通する開口部５があるため、開口部１または１６の形状が表皮カバー面へ浮き出て、デザイン上好ましくないという問題があった。これは、開口部１または１６の形状が座席のパッドの吊り溝部の幅より狭いと、表皮カバーが吊り溝部へ入り込んでいるので、開口部１または１６の端部がつっぱてしまい、その形状が表皮カバー面へ浮き出てしまい、また、開口部１または１６の形状が座席のパッドの吊り溝部の幅より広いと、座席のパッドと表皮カバーの重なり面に開口部１または１６の端部が位置してしまいやはり、その形状が表皮カバー面へ浮き出てしまう。
【０００５】
特に、シートヒータ１の支持体が、厚かったり、表皮カバーの厚さが薄く吊り込み量が大きくとってあると、シートヒータ１の支持体の開口部または１６の端部の形状が表皮カバーの表面へ大きく段差ができ浮き出てしまい、見栄えが悪くなると共に、その分、見栄えを維持させるため、製造工程において、位置ズレ等に注意を要するようになるため、作業性を損なうという不具合があった。
【０００６】
前記従来の技術の問題点に鑑み、本発明が解決しようとする課題は、座席に組み込むシートヒータの吊り溝部分の段差をなくし、見栄えが良くすると共に、製造する上で作業性の良いシートヒータを提供することを目的とする。
【課題を解決するための手段】
【０００７】
前記課題を解決するために、本発明の面状発熱体は、座席のクッション性を保持させ柔軟性の吊り溝部を有するパッドと、前記パッドを包囲し前記パッドの吊り溝部にその一部を係止される座席カバーと、前記パッドと座席カバーの間に位置した面状発熱体とを備え、前記面状発熱体は前記パッドの吊り溝部に対応する部分にその吊り溝部より長くかつ吊り溝部に沿うように配設した切り込みと、この切り込みの両端に直交するように配設した切り込みでできるＨ型の切り欠きを設けた構成としてある。
【０００８】
前記した構成によって、面状発熱体のパッドの吊り溝部に対応する部分に設けたＨ型の
切り欠きでできる舌状部分が、パッドの吊り溝部に入り込む分、座席カバーの係止部が貫通する面状発熱体の開口の端部が、表皮カバーの表面に浮き出にくくなり、浮き出ても、座席の吊り溝部分であるため、目立たず見栄えを損なう心配もなく、製造工程において、位置ズレ等に注意もさほどする必要はなくなり、製造する上での作業性が向上するようになる。また、Ｈ型の切り欠きでできる舌状部分は、パッドの吊り溝部に入り込む分、その長さも短くなるので、座席カバーの係止部が貫通する面状発熱体の開口も十分確保出来、また、座席カバーの係止部が面状発熱体のＨ型の切り欠きの吊り溝部に沿った切り込み部分と一致するので、位置決めもやりやすくなり、作業性が向上するようになる。
【発明の効果】
【０００９】
本発明の面状発熱体は、座席カバーの係止部が貫通する面状発熱体の開口の端部が、表皮カバーの表面に浮き出にくくなり、見栄えを損なう心配もなく、作業性を向上することができるようになる。
【発明を実施するための最良の形態】
【００１０】
第１の発明は、座席のクッション性を保持させ柔軟性の吊り溝部を有するパッドと、前記パッドを包囲し前記パッドの吊り溝部にその一部を係止される座席カバーと、前記パッドと座席カバーの間に位置した面状発熱体とを備え、前記面状発熱体は前記パッドの吊り溝部に対応する部分にその吊り溝部より長くかつ吊り溝部に沿うように配設した切り込みと、この切り込みの両端に直交するように配設した切り込みでできるＨ型の切り欠きを設けた構成としてある。
【００１１】
そして、面状発熱体のパッドの吊り溝部に対応する部分に設けたＨ型の切り欠きでできる舌状部分が、パッドの吊り溝部に入り込む分、座席カバーの係止部が貫通する面状発熱体の開口の端部が、表皮カバーの表面に浮き出にくくなり、浮き出ても、座席の吊り溝部分であるため、目立たず見栄えを損なう心配もなく、製造工程において、位置ズレ等に注意もさほどする必要はなくなり、製造する上での作業性が向上するようになる。また、Ｈ型の切り欠きでできる舌状部分は、パッドの吊り溝部に入り込む分、その長さも短くなるので、座席カバーの係止部が貫通する面状発熱体の開口も十分確保出来、また、座席カバーの係止部が面状発熱体のＨ型の切り欠きの吊り溝部に沿った切り込み部分と一致するので、位置決めもやりやすくなり、作業性が向上するようになる。
【００１２】
第２の発明は、特に、第１の発明の面状発熱体に配設したＨ型の切り欠きに沿って所定の幅形状で開口を配設した構成としてある。
【００１３】
そして、座席カバーの係止部をＨ型の切り欠きに貫通させるときに、吊り溝部に沿うように配設した所定の形状で開口を有する切り込み部分に座席カバーの係止部が見えるようになるので、位置合わせがしやすくなり、貫通させやすくなるとともに、Ｈ型の切り欠きでできる舌状部分の端部が、吊り溝部の両端で干渉するのを防止することができるようになる。
【００１４】
第３の発明は、特に、第１〜第２のいずれか１つの発明の面状発熱体を吊り溝部を有する座席に組み込むことにより、前記した第１〜第２のいずれか１つの発明の作用効果が得られ、製造する上での作業性がよく、そして見栄えがよく、信頼性の高い座席を提供できる。
【００１５】
以下、本発明の実施の形態について、図面を参照しながら説明する。なお、この実施の形態によって本発明が限定されるものではない。
【００１６】
（実施の形態１）
図１は本発明の実施の形態１において自動車の座席に使用した面状発熱体を示す平面図で、図２は図１に示す面状発熱体を取りつけた座席を示す側面図で、図３は同じく面状発熱体を取りつけた要部断面図である。
【００１７】
図１において、面状発熱体２１は、ポリエステル不織布（図示せず）にラミネートされたポリエステルフィルム等の薄肉の長方形の電気絶縁性基材２２上に銀ペーストの印刷・乾燥により形成した一対（電気的に正側と負側）の電極２３と、電極２３に重なるように高分子抵抗体インクを印刷・乾燥により形成した高分子抵抗体２４を形成している。そして、上記電極２３、高分子抵抗体２４、及び電気絶縁性基材２２と接着性を有するアクリル系接着剤等の接着性樹脂層（図示せず）を予め形成されたポリエステルフィルム等の薄肉の電気絶縁性オーバコート材をラミネートした不織布等の被覆材２５を貼り合わせて形成される。
【００１８】
また、電極２３は、相対向するように幅の広い一対（電気的に正側と負側）の主電極２３ａ、２３ｂを面状発熱体２１の長手方向の外側部及びこれら外側部に相対向した切り込み凹部２６に沿って配設され、それぞれの主電極２３ａ、２３ｂから交互に相手側の主電極２３に向って複数の枝電極２３ｃ、３ｄを導出して全体として櫛形形状になっており、これに重なるように配設した高分子抵抗体２４に多数の枝電極２３ｃ、２３ｄより給電することで、高分子抵抗体２４に電流が流れ、発熱する。この高分子抵抗体２４はＰＴＣ特性を有し、温度が上昇すると抵抗値が上昇し、所定の温度になるように自己温度調節機能を有するようになり、温度コントロールが不要で安全性の高い面状発熱体２１としての機能を有するようになる。
【００１９】
そして、面状発熱体２１は、暖房用ヒータとして自動車の座席に取り付けて使用され、座席の支持部材に配設した吊り溝部２７ａを有する柔軟性のパッド２７と、パッド２７を包囲しパッド２７の吊り溝部２７ａにその一部を係止される座席カバー２８との間に位置するように配設してある。
【００２０】
この面状発熱体２１は凹部２６のパッド２７の吊り溝部２７ａに対応する部分にその吊り溝部２７ａより長くかつ吊り溝部２７ａに沿うように配設した切り込み２９ａと、この切り込み２９ａの両端に直交するように配設した切り込み２９ｂでできるＨ型の切り欠き２９を設け、かつ、Ｈ型の切り欠き２９に沿って所定の幅形状で開口２９ｃを配設してあるとともに、Ｈ型の切り欠き２９より面状発熱体２１の発熱部を形成する電極２３と高分子抵抗体２４を所定距離離して設けてある。
【００２１】
そして、パッド２７の吊り溝部２７ａには、係止手段として吊り溝部２７ａに固定された係止ロッド２７ｂが配設してあり、また、座席カバー２８の吊り溝部２７ａに対応する部分には、係止手段として吊り布２８ａとこの吊り布２８ａの端部に固定されたつり込みロッド２８ｂが配設してあり、座席の組立時に、座席カバー２８の吊り布２８ａとつり込みロッド２８ｂを面状発熱体２１のＨ型の切り欠き２９を貫通させて、パッド２７の係止ロッド２７ｂと座席カバー２８のつり込みロッド２８ｂを係止リング３０で固定して、パッド２７の吊り溝部２７ａに沿って座席カバー２８がつり込まれるようにして、座席に面状発熱体２１が組み込まれる。
【００２２】
上記した構成において、面状発熱体２１のパッド２７の吊り溝部２７ａに対応する部分に設けたＨ型の切り欠き２９でできる舌状部分２６ａが、パッド２７の吊り溝部２７ａに入り込む分、座席カバー２８の係止部が貫通する面状発熱体２１の開口２９ｃの端部が、表皮カバーの表面に浮き出にくくなり、浮き出ても、座席の吊り溝部２７ａ分であるため、目立たず見栄えを損なう心配もなく、製造工程において、位置ズレ等に注意もさほどする必要はなくなり、製造する上での作業性が向上するようになる。また、Ｈ型の切り欠き
２９でできる舌状部分２６ａは、パッド２７の吊り溝部２７ａに入り込む分、その長さも短くなるので、座席カバー２８の係止部が貫通する面状発熱体２１の開口２９ｃも十分確保出来、また、座席カバー２８の係止部が面状発熱体２１のＨ型の切り欠き２９の吊り溝部２７ａに沿った切り込み２９ａ部分と一致するので、位置決めもやりやすくなり、作業性が向上するようになる。
【００２３】
そして、座席カバー２８の係止部をＨ型の切り欠き２９に貫通させるときに、吊り溝部２７ａに沿うように配設した所定の形状で開口２９ｃを有する切り込み２９ａ部分に座席カバー２８の係止部が見えるようになるので、位置合わせがしやすくなり、貫通させやすくなるとともに、Ｈ型の切り欠き２９でできる舌状部分２６ａの端部が、吊り溝部２７ａの両端で干渉するのを防止することができるようになる。
【００２４】
また、面状発熱体２１に配設したＨ型の切り欠き２９より面状発熱体２１の発熱部を形成する電極２３と高分子抵抗体２４を所定距離離して設けてあるので、着座時等の座席に力が加わり変形したときに、この外力による変形が面状発熱体２１に及んで面の一部が変形し、特に吊り溝部２７ａ近傍は折り皺等を発生しやすく、発熱部の断線などの耐久性が劣化しすいが、Ｈ型の切り欠き２９より面状発熱体２１の発熱部を所定距離離して設けてあるので、その影響を受けにくくなるとともに、Ｈ型の切り欠き２９の端部の解れ、そして型抜き時の位置ズレなどで生じやすい発熱部の露出に対して余裕を持って防止でき、信頼性を向上できる。
【００２５】
なお、上記実施の形態では、面状発熱体２１を電気絶縁性基材２２上に印刷形成した一対の電極２３と高分子抵抗体２４からなるＰＴＣ特性を有する発熱体で構成した例で説明したが、これは、線状ヒータ線を用いた面状発熱体で構成してもよく、その他各部の構成も本発明の目的を達成する範囲であればその構成はどのようなものであってもよい。
【産業上の利用可能性】
【００２６】
以上のように、本発明にかかる面状発熱体は、座席に組み込むシートヒータの吊り溝部分の段差をなくし、見栄えが良くすると共に、製造する上で作業性の良くすることができるようになるので、暖房用ヒータとして自動車の座席、座椅子、その他の暖房を必要とする器具に適用できる。
【図面の簡単な説明】
【００２７】
【図１】本発明の実施の形態１における自動車の座席に使用した面状発熱体を示す平面図
【図２】同実施の形態１における面状発熱体を取りつけた座席を示す側面図
【図３】同実施の形態１における面状発熱体を取りつけた座席の要部断面図
【図４】従来の面状発熱体を示す斜視図
【図５】他の従来の面状発熱体を示す斜視図
【符号の説明】
【００２８】
２１  面状発熱体
２７  パッド
２７ａ  吊り溝部
２８  座席カバー
２９  Ｈ型の切り欠き
２９ａ  吊り溝部に沿うように配設した切り込み
２９ｂ  切り込み２９ａの両端に直交するように配設した切り込み
２９ｃ  開口
【図１】
2007253845.tif 000003
【図２】
2007253845.tif 000004
【図３】
2007253845.tif 000005
【図４】
2007253845.tif 000006
【図５】
2007253845.tif 000007